(57)【特許請求の範囲】
【請求項１】
タンク内に中空の内部導体を配置し、前記内部導体の両端にポスト固定導体と内側集電子と外側集電子とからなる中空の端部接続導体を結合すると共に、前記ポスト固定導体を絶縁支持体により前記タンクに固定したガス絶縁母線の輸送装置において、前記端部接続導体の両端に形成された端面部の一方の端面部に取付固定される、固定部材と係止金具と引掛金具とからなることを特徴とするガス絶縁母線の輸送装置。
【請求項２】
請求項１において、前記輸送装置は前記内部導体と端部接続導体の内部に配置され、前記引掛金具の一端は前記内部導体に形成される内筒端面部に係止され、前記係止金具は前記端部接続導体に形成される内筒端面部に係止され、前記係止金具と前記引掛金具の他端は、前記固定部材により前記端部接続導体に形成される内筒端面部において固定されることを特徴とするガス絶縁母線の輸送装置。
【請求項３】
請求項１において、前記引掛金具の一端は前記内部導体に形成される内筒端面部に係止され、前記係止金具は前記端部接続導体に形成される外筒端面部に係止され、前記係止金具と前記引掛金具の他端は、前記固定部材により前記外筒端面部において固定されることを特徴とするガス絶縁母線の輸送装置。
【発明の詳細な説明】
【技術分野】
【０００１】
本発明は、ガス絶縁母線の輸送装置に関し、特に、輸送時に内部導体と端部接続導体を確実に固定でき、輸送姿の組立又は分解の工数を低減できるガス絶縁母線の輸送装置に関する。
【背景技術】
【０００２】
近年の電力開閉装置は、電力需要の増大と電力設備の小型化の要請から、絶縁性能の高い六弗化硫黄（ＳＦ６）ガスを封入したタンク内に、通電導体や電気装置を収納することにより装置全体を縮小したガス絶縁開閉装置（ＧＩＳ）が多用される傾向がある。
【０００３】
このＧＩＳの基本構成要素として、ガス絶縁母線があり、このガス絶縁母線は、ＳＦ６ガスを封入したタンク内に電流を流す内部導体が絶縁スペーサを介して支持される構造となっている。
【０００４】
近時、ガス絶縁母線は、電力の安定供給のため２重母線方式が採用され、また、相分離配置或いは３相一括配置の構成が採用されている。
【０００５】
これらガス絶縁母線の３相一括配置は、絶縁ガスを封入したタンク内に３相の内部導体が三角形の頂点に位置するように、樹脂製の絶縁支持体である絶縁スペーサや、ポスト碍子で支持して構成されている。この際、ガス絶縁母線はタンク内壁と内部導体の絶縁距離との関係で、上記の三角形が正三角形や二等辺三角形となるように配置される。
【０００６】
また、上記のようにガス絶縁母線を収納するタンクは、輸送上の制約から所定の長さ毎に区切られる。このタンクの端部は、配管の如くフランジを設け、隣接するタンクの端部のフランジ間をボルト及びナットにより固定するように構成されている。
【０００７】
そのため、内部導体もまたタンクの区切りに合わせて区切られており、更に、絶縁支持体によってタンク内の定めた位置に内部導体が保持されるようになっている。
【０００８】
この際、内部導体の両端部は、それぞれ絶縁支持体を固定するような構造となっており、内部導体の両端部は、絶縁支持体を支持固定するポスト固定導体と、そのポスト固定導体と内部導体を接続する端部接続導体である集電子をそれぞれ介して構成されている。
【０００９】
ガス絶縁母線は、上記のような構成であるので、タンク内の両端の内部導体と端部接続導体同士は、ガス絶縁母線の輸送時において、外部からの振動によって各部材それぞれが摺動する。この各部材位置が変わるずれにより摺動粉が発生して、組立後のＧＩＳの運転時における地絡発生の原因となる恐れがあった。そのため、ガス絶縁母線の輸送時に、内部導体及び端部接続導体を一体的に固定する固定部材を取付ける等の対策を講じる必要があった。
【００１０】
上記の各部材の輸送時のずれの対策として、従来では、タンク内の内部導体と端部接続導体との連結部を分割形の絶縁カバーにより一体的に固定することで、ガス絶縁母線の輸送時に生ずる外部からの振動による各部材同士の摺動を防止していた。
【００１１】
一方、上記のようなフランジ部によって分割可能に構成されかつ内部導体を配置したタンクでは、タンクの両端のフランジ部に輸送カバーを取付け、内部導体を配置固定した状態で輸送することも提案されている（特許文献１参照）。
【先行技術文献】
【特許文献】
【００１２】
【特許文献１】特開平８−３１７５１８号公報
【発明の概要】
【発明が解決しようとする課題】
【００１３】
しかし、上記従来の分割形の絶縁カバーを固定する構造では、輸送前後のガス絶縁母線の組立又は分解時に、作業者が絶縁支持体を越えてタンク内の配管中央側にまで進入して作業をする必要があり、作業工数が嵩み経済的なガス絶縁母線の組立又は分解ができなくなる問題があった。
【００１４】
また、特許文献１の輸送カバーを使用する場合、輸送カバーの取付け及び取外しの工数が掛かるばかりでなく、輸送カバー自体の製造費がかかり、それぞれ経済的でないという問題があった。
【００１５】
本発明の目的は、ガス絶縁母線の輸送時に、内部導体と端部接続導体を確実に固定して輸送でき、輸送姿の組立又は分解の工数を低減できるガス絶縁母線の輸送装置を提供することにある。
【課題を解決するための手段】
【００１６】
本発明によるガス絶縁母線の輸送装置は、タンク内に中空の内部導体を配置し、前記内部導体の両端にポスト固定導体と内側集電子と外側集電子とからなる中空の端部接続導体を結合すると共に、前記ポスト固定導体を絶縁支持体により前記タンクに固定したガス絶縁母線の輸送装置において、前記端部接続導体の両端に形成された端面部の一方の端面部に取付固定される、固定部材と係止金具と引掛金具とからなることを特徴としている。
【００１７】
好ましくは、前記輸送装置は前記内部導体と端部接続導体の内部に配置され、前記引掛金具の一端は前記内部導体に形成される内筒端面部に係止され、前記係止金具は前記端部接続導体に形成される内筒端面部に係止され、前記係止金具と前記引掛金具の他端は、前記固定部材により前記端部接続導体に形成される内筒端面部において固定されることを特徴としている。
【００１８】
また、好ましくは、前記引掛金具の一端は前記内部導体に形成される内筒端面部に係止され、前記係止金具は、前記端部接続導体に形成される外筒端面部に係止され、前記係止金具と前記引掛金具の他端は、前記固定部材により前記端部接続導体に形成される外筒端面部において固定されることを特徴としている。
【発明の効果】
【００１９】
本発明のガス絶縁母線の輸送装置によれば、輸送時に輸送金具を用いて、タンク内に内部導体と端部接続導体を確実に固定することができるから、摺動粉の発生を防止できるし、また容易に輸送姿の組立又は据付現地での分解ができて工数を低減することができる経済的な利点がある。
【図面の簡単な説明】
【００２０】
【図１】本発明の実施例によるガス絶縁母線の輸送装置の組立状況を示す概略図である。
【図２】図１の部分拡大縦断面図である。
【図３】図２のガス絶縁母線の輸送装置のナット及び係止金具のＡ−Ａ線の部分拡大図である。
【図４】本発明の別の実施例によるガス絶縁母線の輸送装置の部分拡大縦断面図である。
【図５】図４のガス絶縁母線の輸送装置のナット及び係止金具のＢ−Ｂ線の部分拡大図である。
【発明を実施するための形態】
【００２１】
以下、本発明のガス絶縁母線の輸送装置を実施例として示す図面に基づいて説明する。尚、以下の実施例においては、ガス絶縁母線を３相一括配置としたものを適用しているが、ガス絶縁母線が相分離配置の構成であっても、本実施例が適用できることは言うまでもない。
【実施例１】
【００２２】
図１及び図２に示すＧＩＳのガス絶縁母線１は、輸送寸法内に区分した円筒状のタンク２内に３相分の内部導体５を配置している。タンク２は、直線状の配管部２Ａと、両端のフランジ部２Ｂからなっており、内部導体５は両端に端部接続導体４を結合している。
【００２３】
端部接続導体４は、図２に示す如く、ポスト固定導体４Ａと、内部導体５と接続する内側集電子４Ｂと、別の内部導体と接続する外側集電子４Ｃを有して構成され、タンク２に固定する柱状の絶縁支持体３がポスト固定導体４Ａと接続されることによって内部導体５が支持されている。詳述すると、内部導体５は、タンク２内の両端の内側集電子４Ｂに接続されるように構成されている。
【００２４】
上記のように構成されたガス絶縁母線１は、輸送可能な寸法に設定されている。尚、両端のフランジ部２Ｂ及び外側集電子４Ｃは、それぞれ隣接するタンクのフランジ部及び内部導体に接続される。
【００２５】
ところで、タンク２、端部接続導体４、内部導体５はそれぞれ金属製であるが、絶縁支持体３はエポキシ樹脂等の絶縁物であるので、ガス絶縁母線１とタンク２間の絶縁が確保される。
【００２６】
また、端部接続導体４を構成するポスト固定導体４Ａと各集電子４Ｂ、４Ｃ及び両端に接続用の小径部（図示せず）を形成した内部導体５は中空導体である。この際、図２に示す如く、内部導体５の内側には小径部を設けるための段が形成されており、その部分が内筒端面部７となっている。
【００２７】
更に、端部接続導体４のポスト固定導体４Ａの内側にも段が形成されており、その部分が内筒端面部８となっている。また更に、端部接続導体４の各集電子４Ｂ、４Ｃは、これらの外側に外筒端面部９が形成されている。
【００２８】
本実施例の輸送装置６は、端部接続導体４に形成された内筒端面部８に取付固定する固定部材となるナット６Ａ及びワッシャを兼ねる係止金具６Ｂと引掛金具６Ｃとからなっている。
【００２９】
この引掛金具６Ｃは、一方の金具端部６Ｆに内部導体５に形成された内筒端面部７に引掛固定するための湾曲部６Ｇと、他方の金具端部６Ｄにナット６Ａをねじ締めするためのねじ部６Ｅとを備えている。以下、輸送装置６について詳述する。
【００３０】
まず、輸送装置６は、ナット６Ａ、係止金具６Ｂ及び引掛金具６Ｃからなる。この引掛金具６Ｃの金具端部６Ｄの所定範囲には、ねじ部６Ｅが形成されており、ナット６Ａをねじ締めする構造になっている。
【００３１】
また、引掛金具６Ｃの金具端部６Ｆには、この例では湾曲部６Ｇが形成されており、この湾曲部６Ｇは所謂ステッキの取手のような形状をしている。尚、金具端部６Ｆの端面６Ｈは平面となっており、上記の内部導体５に形成された内筒端面部７と平行で両端間の係合が良好になるように構成されている。
【００３２】
輸送装置６の引掛金具６Ｃの材質には、硬質で耐水性や電気絶縁性がある等、物性が優れ、且つ経済的に製造できるポリ塩化ビニルを用いることが望ましい。また、係止金具６Ｂは、図３に示すように板状であっても、円形としても良い。
【００３３】
次に、ガス絶縁母線１の輸送時において、輸送装置６を端部接続導体４及び内部導体５の内部に取付ける手順について説明する。まず、引掛金具６Ｃをガス絶縁母線１の外側から端部接続導体４の内部へ挿入する。
【００３４】
その次に、湾曲部６Ｇを内部導体５の内筒端面部７まで通過させた後に、金具端部６Ｆの端面６Ｈを内筒端面部７に接触させ引掛けて係止する。
【００３５】
そして最後に、ガス絶縁母線１の外側からナット６Ａを係止金具６Ｂを介して引掛金具の他の端部６Ｄに嵌め込んで係止し、ねじ部６Ｅによってナット６Ａをねじ締めし、図３に示す如く係止金具６Ｂを内筒端面部８に取付固定する。
【００３６】
以上の手順により、輸送装置６を端部接続導体４及び内部導体５へ取付けたガス絶縁母線１は、フランジ２Ｂを閉鎖して現地へ輸送される。
【００３７】
この際、ガス絶縁母線１の輸送中において、外部からの振動や温度変化に基づいてタンク２内の両端の端部接続導体４と内部導体５が変動しようとしても、輸送装置６により確実に固定されているので、摺動粉が発生することもなくなり、ガス絶縁母線１組立後のＧＩＳの運転時に地絡を発生しなくすることができる。
【００３８】
上記のように、本発明の輸送装置６を使用すれば、ガス絶縁母線１の輸送時にタンクに支持させる端部接続導体４と内部導体５に取付けて両端間を確実に固定して摺動を防止でき、輸送姿の組立又は分解の工数を低減することができる。
【実施例２】
【００３９】
本発明によるガス絶縁母線の輸送装置の別の実施例を図４に示しており、実施例１と同様の部分は同符号を用いている。
【００４０】
本実施例では、輸送装置１０の係止金具１０Ｂを円筒状に形成して、端部接続導体４の外筒端面部９に嵌合して係止し、取付固定するようにしたものである。尚、ナット１０Ａ、引掛金具１０Ｃ、金具端部１０Ｄ、１０Ｆ、ねじ部１０Ｅ、湾曲部１０Ｇ及び端面１０Ｈは、実施例１と同様の構成である。
【００４１】
上記の輸送装置１０の構成においても、図２の実施例１と同様の効果を達成でき、しかも係止金具１０Ｂを図５に示す如く端部接続導体４の外筒端面部９に取付けるようにしたので、実施例１のものより取付けが容易になり、輸送時におけるガス絶縁母線の組立又は分解の工数をより低減することができる。
【００４２】
また、本実施例の係止金具１０Ｂの形状は、図４に示す円筒状以外に、細長矩形板状の部材の上下をコ字状に折り曲げて形成し、端部接続導体４の外筒端面部９に嵌合して取付けるようにしても良い。
【００４３】
以上、本発明のガス絶縁母線の輸送装置によれば、ナットと係止金具と引掛金具を用いることにより、輸送時に内部導体と端部接続導体を確実に固定できるし、且つ容易に輸送姿の組立又は分解ができて工数を低減することができる経済的なガス絶縁母線の輸送装置を提供することができる。
【００４４】
尚、本発明の輸送装置は、ガス絶縁母線の両側の端部接続導体と内部導体に取付けても良いが、片側の端部接続導体と内部導体のみに取付けるだけでも確実に両端間を固定することができる。
【符号の説明】
【００４５】
１…ガス絶縁母線、２…タンク、３…絶縁支持体、４…端部接続導体、４Ａ…ポスト固定導体、４Ｂ、４Ｃ…集電子、５…内部導体、６…輸送装置、６Ａ…ナット、６Ｂ…係止金具、６Ｃ…引掛金具、６Ｄ、６Ｆ…金具端部、６Ｅ…ねじ部、６Ｇ…湾曲部、６Ｈ…端面、７、８…内筒端面部、９…外筒端面部。
【図１】
0005427587.tif 000002
【図２】
0005427587.tif 000003
【図３】
0005427587.tif 000004
【図４】
0005427587.tif 000005
【図５】
0005427587.tif 000006